(57)【要約】【課題】従来のアンカー装置によると、板ナットの方向を規定することが困難であった。【解決手段】樋状胴部１の先端に可曲部２を介して袋状部３を該胴部の長さ方向に角度をもって設けた挿入部材４と、前記袋状部内に挿入され、この袋状部３から突出する部分にねじ孔５を有する板ナット６、前記樋状胴部１に外嵌挿入する座部材７とからなり、この座部材７の内周面と樋状胴部１の外周面に座部材７を抜止状に保持する保持手段８を設けたアンカー装置において、座部材７は円筒部９とその一端に設けた薄厚の円盤部１０からなり、円盤部１０は板ナット６の突出する長さ方向に対して直交する方向へ長い長辺を有することを特徴とするアンカー装置である。【選択図】　図１
2004100934.tif 000002
【特許請求の範囲】
【請求項１】
樋状胴部の先端に可曲部を介して袋状部を該胴部の長さ方向に角度をもって設けた挿入部材と、前記袋状部内に挿入され、この袋状部から突出する部分にねじ孔を有する板ナット、前記樋状胴部に外嵌挿入する座部材とからなり、この座部材の内周面と樋状胴部の外周面に座部材を抜止状に保持する保持手段を設けたアンカー装置において、座部材は円筒部とその一端に設けた薄厚の円盤部からなり、円盤部は板ナットの突出する長さ方向に対して直交する方向へ長い長辺を有することを特徴とするアンカー装置。
【請求項２】
樋状胴部の先端に可曲部を介して袋状部を該胴部の長さ方向に角度をもって設けた挿入部材と、前記袋状部内に挿入され、この袋状部から突出する部分にねじ孔を有する板ナット、前記樋状胴部に外嵌挿入する座部材とからなり、この座部材の内周面と樋状胴部の外周面に座部材を抜止状に保持する保持手段を設けたアンカー装置において、座部材は円筒部とその一端に設けた薄厚の円盤部からなり、円盤部は板ナットの突出する長さ方向に対して直交する方向へ長い長辺を有し、板ナットの突出する方向へ膨らんだ弓状に湾曲したことを特徴とするアンカー装置。
【発明の詳細な説明】
【０００１】
【発明の属する技術分野】
この発明は、背面側に手を挿入することのできない部分の表面に、各種部材や器材をボルトで締結できるようにするアンカー装置である。
【０００２】
【従来の技術】
本願出願人が出願した登録特許第２７５００９３号に示すアンカー装置によれば、手を挿入することのできない部分、例えばボード壁に各種の部材や器材を容易に締結することができる。この従来のアンカー装置によると、壁材の材質が脆弱である場合は、板ナット部を長くすることによって保持強度を高めることができる。また、取り付ける器材の基盤部分が円盤状であり、複数のボルトにより締結するような場合は、長くした板ナットはその長辺を基盤部分の中心点から放射状に広がる方向へ向けることで、複数の板ナット相互がボード壁に接する領域が広くなり、引抜き方向へ荷重が加わった場合の耐力が向上する。
【０００３】
【発明が解決しようとする課題】
しかし、板ナットは挿入された後は視界から閉ざされた壁材の裏面に位置するため、従来のアンカー装置によると、板ナットの方向を規定することが困難であった。
【０００４】
また、仮に注意深い作業によって板ナットの方向を放射状の方向に規定し得たとしても、アンカー装置をボード壁に取り付けた後、器材の基盤部分をその上に当てがって、ボルトを板ナットに螺合しようとすると、板ナットがボルトの回転方向へ供回りしまうために、方向の規定が困難になるという問題もあった。
【０００５】
【課題を解決するための手段】
上記のような課題を解決するため、請求項１の発明は樋状胴部の先端に可曲部を介して袋状部を該胴部の長さ方向に角度をもって設けた挿入部材と、前記袋状部内に挿入され、この袋状部から突出する部分にねじ孔を有する板ナット、前記樋状胴部に外嵌挿入する座部材とからなり、この座部材の内周面と樋状胴部の外周面に座部材を抜止状に保持する保持手段を設けたアンカー装置において、座部材は円筒部とその一端に設けた薄厚の円盤部からなり、円盤部は板ナットの突出する長さ方向に対して直交する方向へ長い長辺を有することを特徴とするアンカー装置である
【０００６】
請求項２の発明は樋状胴部の先端に可曲部を介して袋状部を該胴部の長さ方向に角度をもって設けた挿入部材と、前記袋状部内に挿入され、この袋状部から突出する部分にねじ孔を有する板ナット、前記樋状胴部に外嵌挿入する座部材とからなり、この座部材の内周面と樋状胴部の外周面に座部材を抜止状に保持する保持手段を設けたアンカー装置において、座部材は円筒部とその一端に設けた薄厚の円盤部からなり、円盤部は板ナットの突出する長さ方向に対して直交する方向へ長い長辺を有し、板ナットの突出する方向へ膨らんだ弓状に湾曲したことを特徴とするアンカー装置である
【０００７】
【発明の実施の形態】
以下、この発明の実施の形態を図示例と共に説明する。
【０００８】
図１、図２に示す実施形態のアンカー装置は、樋状胴部１の先端に可曲部２を介して袋状部３を該胴部の長さ方向に角度をもって設けた挿入部材４と、前記袋状部内に挿入され、この袋状部３から突出する部分にねじ孔５を有する板ナット６、前記樋状胴部１に外嵌挿入する座部材７とからなり、この座部材７の内周面と樋状胴部１の外周面に座部材７を抜止状に保持する保持手段８を設けたアンカー装置において、座部材７は円筒部９とその一端に設けた薄厚の円盤部１０からなり、円盤部１０は板ナット６の突出する長さ方向に対して直交する方向へ長い長辺を有することを特徴とするアンカー装置である。
【０００９】
樋状胴部１の外周面には袋状部３側へ向けて徐々に高くなる傾斜面を有する多数の突条を設け、座部材７の内周面には、この突条に嵌合する突起を設けてかみ合うようにして保持手段８とした例を示している。
【００１０】
座部材７にはボルトが挿通されるための貫通孔を有し、そのほぼ下半分は樋状胴部が挿通される大きな半径を有する貫通孔が形成されている。
【００１１】
図３に示すように、樋状胴部の外周面に設けた多数の突条１２の上端には、樋状胴部の長さ方向にわたって設けられ突出したレール部１３を設けてもよい。この場合には、座部材７の貫通孔には、この突出したレール部１３を収容し保持する窪み部を設ける。このレール部１３と座部材７の窪み部の嵌合により、より安定的に樋状胴部１を保持することが可能となる。
【００１２】
使用に際しては、袋状部３とこれに挿入した板ナット６を可曲部２の部分で曲げて樋状胴部１の長さ方向に平行する姿勢にし、この状態で壁材の孔に袋状部３を先にして樋状胴部１を挿入し、板ナット６とこれを保持する袋状部３が壁材の背面側に達すると、可曲部２の復元弾性により袋状部３が戻り方向へ屈曲し、樋状胴部１に外嵌挿入してある座部材７をその円盤部１０の長辺方向が被締結器材の円形基盤の外周１１に沿う方向へ向け、壁材の孔に向けて押し込み、樋状胴部１を引き戻すと、この袋状部３と板ナット６が壁材の背面側に当接するので、係止手段８の係合により、座部材７は抜止状となり、樋状胴部１の座部材７から突出する部分を切り取る。
【００１３】
次に、座部材７から壁材の孔にボルトを樋状胴部１の内周に沿うように挿入し、このボルトを板ナット６のねじ孔５にねじ込むことにより、壁材の表面に重ねた被締結器材を固定することができる。
【００１４】
この時、被締結器材の円形基盤部分が、この発明のアンカー装置の座部材７の円盤部１０を壁材との間で挟み込む状態となり、ボルトの螺合動作によって板ナット６が供回り方向に回転しようとしても、板ナットを保持する袋状部３、そして袋状部３と一体の樋状胴部１、樋状胴部１と係合する座部材７が、挟まれた円盤部１０の固定化によって回転動作を不能にする。特に円盤部１０が長辺を有する十分な大きさを有するために、挟み込みによる固定化の効果は大きくなる。
【００１５】
樋状胴部１に外嵌挿入してある座部材７をその円盤部１０の長辺方向が被締結器材の円形基盤の外周１１に沿う方向へ向け、壁材の孔に向けて押し込むと、壁材の背面側では板ナット６は被締結器材の円形基盤部分の中心から放射状の方向へ向く。この状態で樋状胴部１を引き戻すと、袋状部３と板ナット６が被締結器材の円形基盤部分の中心から放射状の方向へ向いたまま、壁材の背面側に当接する。複数のアンカー装置を用いて、同様にして器材を取り付けると、すべての板ナットは放射状の方向へ向き、板ナット相互がボード壁に接する領域が広くなり、引抜き方向へ荷重が加わった場合の耐力が向上する。
【００１６】
【発明の効果】
上述の説明のアンカー装置によれば、樋状胴部の先端に可曲部を介して設けた袋状部に板ナットを取り付け、樋状胴部に挿入した座部材と該樋状胴部とに係止手段を設けたアンカー装置において、座部材は円筒部とその一端に設けた薄厚の円盤部からなり、円盤部は板ナットの突出する長さ方向に対して直交する方向へ長い長辺を有する構成としたので、壁材の背面側で視界から閉ざされた位置にある板ナットの方向を容易に規定でき、特に器材の基盤部分が円盤状であり、複数のボルトにより締結するような場合は、長くした板ナットはその長辺を基盤部分の中心点から放射状に広がる方向へ向けることで、複数の板ナット相互がボード壁に接する領域が広くなり、引抜き方向へ荷重が加わった場合の耐力が向上するという効果が得られる。
【図面の簡単な説明】
【図１】この発明に係るアンカー装置の実施例を示す斜視図
【図２】同上の使用状態を示す説明図
【図３】同上の他の実施例の樋状胴部の断面図
【符号の説明】
１．樋状胴部
２．可曲部
３．袋状部
４．挿入部材
５．ねじ孔
６．板ナット
７．座部材
８．保持手段
９．円筒部
１０．円盤部
【図１】
2004100934.tif 000003
【図２】
2004100934.tif 000004
【図３】
2004100934.tif 000005